(57)【要約】【課題】  この考案は、代行側端末装置と遠隔地端末装置とを双方向で通信可能とした代行撮影記録システムに関する。【解決手段】モバイルデータ通信装置と画像および音声を入力するカメラ装置およびマイク装置とを備えた携帯型の代行側端末装置と、該代行側端末装置と双方向に通信可能となる遠隔地端末装置とからなっており、代行側端末装置で撮影した画像データや音声データおよびまたは遠隔地端末装置から入力した画像データや音声データを記録して可搬型の記録媒体に書き込むことを特徴とする。【選択図】  図１
0003139531.tif 000002
【実用新案登録請求の範囲】
【請求項１】
コンピュータ通信ネットワークに接続可能なモバイルデータ通信装置と、画像および音声を入力するカメラ装置およびマイク装置とを備えた携帯型の代行側端末装置と、
コンピュータ通信ネットワークに接続可能であって、前記代行側端末装置と双方向に通信可能となるデータ通信装置を有する遠隔地端末装置と、
前記代行側端末装置に入力した録画データおよび音声データを出力するディスプレイ装置およびスピーカー装置と、
代行側端末装置に入力した録画データおよび音声データを記録する記録装置と、
記録されたデータを可搬型の記録媒体に書き込む書込装置とからなっており、
代行側端末装置に接続されたカメラ装置およびマイク装置から入力されたデータを前記ディスプレイ装置およびスピーカー装置に出力すると共に記録装置に記録し、書込装置により可搬型の記録媒体に書き込んでなることを特徴とする代行撮影記録システム。
【請求項２】
コンピュータ通信ネットワークに接続可能なモバイルデータ通信装置と、画像および音声を入力するカメラ装置およびマイク装置とを備えた携帯型の代行側端末装置と、
コンピュータ通信ネットワークに接続可能であって、前記代行側端末装置と双方向に通信可能となるデータ通信装置と、画像および音声を入力するカメラ装置およびマイク装置とを備えた遠隔地端末装置と、
前記代行側端末装置に入力した録画データおよび音声データを出力するディスプレイ装置およびスピーカー装置と、
代行側端末装置に入力した録画データおよび音声データを記録する記録装置と、
記録されたデータを可搬型の記録媒体に書き込む書込装置とからなっており、
代行側端末装置に接続されたカメラ装置およびマイク装置から入力されたデータおよび遠隔地端末装置に接続されたカメラ装置およびマイク装置から入力されて前記代行側端末装置に配信されたデータを前記代行側端末装置を介して前記ディスプレイ装置およびスピーカー装置に出力すると共に記録装置に記録し、書込装置により可搬型の記録媒体に書き込んでなることを特徴とする代行撮影記録システム。
【請求項３】
遠隔地端末装置が複数設けられており、代行側端末装置で切替手段によって接続する遠隔地端末装置を切り替え、切り替えられた遠隔地端末装置に接続されたカメラ装置およびマイク装置から入力されて前記代行側端末装置に配信されたデータを前記代行側端末装置を介して前記ディスプレイ装置およびスピーカー装置に出力すると共に記録装置に記録し、書込装置により可搬型の記録媒体に書き込んでなることを特徴とする請求項２に記載の代行撮影記録システム。
【考案の詳細な説明】
【技術分野】
【０００１】
この考案は、代行側端末装置と遠隔地端末装置とを双方向で通信して、画像データや音声データを記録することができる代行撮影記録システムに関する。
【背景技術】
【０００２】
コンピュータネットワークを利用して、コンピュータ端末間で双方向の通信を行うシステムは知られている。
そこで、本人が健康上の理由や、遠隔地であるため実行できない行為を、例えば、特開２００１−２８３０４１号の下見代行システムでは、オークション参加予定者に代わり下見代行人がオークション出品予定品の下見を代行するために供するシステムであって、オークション参加予定者のための下見装置と下見代行人のための下見代行装置との間に通信手段を設け、前記通信手段を通して前記下見代行装置からオークション出品予定品の下見情報を前記下見装置に送る手段を備えた構成が知られている。
しかし、上記構成では、下見装置と下見代行装置との間では、貸与機器を選択するため常時リアルタイムに双方向の通信を行うことができず、オークション参加者が必要とする十分な下見代行を行えないという欠点があった。
また下見代行システムでは、下見代行行為以外に用いられることがなく、用途が限定されてしまう。
一方で、モバイルブロードバンドによるデータ通信においては、低額でパケット通信を無制限に行えるサービスが提供されはじめており、通信費の負担が軽減され、映像データや音声データの配信が容易に行える環境となってきている。
これらの配信された映像データや音声データは、モニターすることはできるが、それを可搬型の記録媒体に書き込んで、いつでも鑑賞することはできなかった。
【特許文献１】特開２００１−２８３０４１
【考案の開示】
【考案が解決しようとする課題】
【０００３】
この考案は上記実情に鑑みてなされたもので、その主たる課題は、一対のコンピュータ端末を用いて、リアルタイムに双方向の通信を可能とし、離れた位置の画像データや音声データを組み合わせて記録装置に記録して可搬型の記録媒体に書き込み、いつでも鑑賞しうるようにした代行撮影記録システムを提供することにある。
【課題を解決するための手段】
【０００４】
上記課題を解決するために、請求項１の考案では、
コンピュータ通信ネットワークに接続可能なモバイルデータ通信装置と、画像および音声を入力するカメラ装置およびマイク装置とを備えた携帯型の代行側端末装置と、
コンピュータ通信ネットワークに接続可能であって、前記代行側端末装置と双方向に通信可能となるデータ通信装置を有する遠隔地端末装置と、
前記代行側端末装置に入力した録画データおよび音声データを出力するディスプレイ装置およびスピーカー装置と、
代行側端末装置に入力した録画データおよび音声データを記録する記録装置と、
記録されたデータを可搬型の記録媒体に書き込む書込装置とからなっており、
代行側端末装置に接続されたカメラ装置およびマイク装置から入力されたデータを前記ディスプレイ装置およびスピーカー装置に出力すると共に記録装置に記録し、書込装置により可搬型の記録媒体に書き込んでなることを特徴とする。
【０００５】
請求項２の考案では、
コンピュータ通信ネットワークに接続可能なモバイルデータ通信装置と、画像および音声を入力するカメラ装置およびマイク装置とを備えた携帯型の代行側端末装置と、
コンピュータ通信ネットワークに接続可能であって、前記代行側端末装置と双方向に通信可能となるデータ通信装置と、画像および音声を入力するカメラ装置およびマイク装置とを備えた遠隔地端末装置と、
前記代行側端末装置に入力した録画データおよび音声データを出力するディスプレイ装置およびスピーカー装置と、
代行側端末装置に入力した録画データおよび音声データを記録する記録装置と、
記録されたデータを可搬型の記録媒体に書き込む書込装置とからなっており、
代行側端末装置に接続されたカメラ装置およびマイク装置から入力されたデータおよび遠隔地端末装置に接続されたカメラ装置およびマイク装置から入力されて前記代行側端末装置に配信されたデータを前記代行側端末装置を介して前記ディスプレイ装置およびスピーカー装置に出力すると共に記録装置に記録し、書込装置により可搬型の記録媒体に書き込んでなることを特徴とする。
更に、請求項３の考案では、
前記遠隔地端末装置が複数設けられており、代行側端末装置で切替手段によって接続する遠隔地端末装置を切り替え、切り替えられた遠隔地端末装置に接続されたカメラ装置およびマイク装置から入力されて前記代行側端末装置に配信されたデータを前記代行側端末装置を介して前記ディスプレイ装置およびスピーカー装置に出力すると共に記録装置に記録し、書込装置により可搬型の記録媒体に書き込んでなることを特徴とする。
【考案を実施するための最良の形態】
【０００６】
この考案は、代行側端末装置と遠隔地端末装置とを接続し、代行側端末装置が入力した画像データや音声データを記録装置に記録し、書込装置で可搬型の記録媒体に書き込むことで、誰でもいつでも記録媒体に記録された画像データや音声データを鑑賞することができることを実現した。
【実施例１】
【０００７】
以下に、この考案の代行撮影記録システムの好適な実施例を図面を参照しながら説明する。
図１に示す代行撮影記録システム１０は、代行側端末装置１と遠隔地端末装置１１とからなっている。
代行側端末装置１は、携帯型のコンピュータ端末からなっており、携帯電話回線を用いてコンピュータ通信ネットワークに接続可能なデータ通信カードを有するモバイルデータ通信装置２と、画像および音声を入力するカメラ装置３およびマイク装置４と、音声出力用のスピーカー装置６とを接続した構成からなっている。
【０００８】
本実施例では、代行側端末装置１は、一例としてソニー株式会社の「ＶＡＩＯ（登録商標）ｔｙｐｅＵ  ＶＧＮ−ＵＸ７１」(商品名)を用いており、ブック型のパーソナルコンピュータにカメラ装置３およびマイク装置４と、ディスプレイ装置５およびスピーカー装置６を一体に有しており、モバイルデータ通信装置２となる通信カードが装着された構成からなっているが、この考案では、その他の携帯型のコンピュータやＰＤＡ、多機能携帯電話などのコンピュータ端末を用いてもよい。
【０００９】
遠隔地端末装置１１は、本実施例の場合、ＴＶ電話機能を有する携帯電話からなっており、携帯電話網を介してコンピュータ通信ネットワークＮに接続可能なデーター通信手段１２と、画像および音声を入力するカメラ装置１３およびマイク装置１４とスピーカー装置１６とを有しており、前記代行側端末装置１とコンピュータ通信ネットワークＮを介して双方向に通話可能な構成となっている。
【００１０】
上記遠隔地端末装置１１は、後述のように携帯電話に限らず、デスクトップパソコンやノートパソコン、デジタルＴＶなどのコンピュータないしコンピュータ端末であればよく、通信回線を用いてコンピュータ通信ネットワークに接続可能となっていればよい。
【００１１】
代行撮影記録システム１０の使用に際して、１つの使用例では、結婚式やお祭りその他のイベント会場などに代行側端末装置１を代行者が携帯して移動可能としておく。
また、予め代行側端末装置１と遠隔地端末装置１１との間でモバイルデータ通信装網やコンピュータネットワークＮ（ピアツーピアなど）を構築しておく。
【００１２】
代行者は代行側端末装置１を用いて、カメラ装置３とマイク装置４とでイベントを撮影し、画像データと音声データを代行側端末装置１に入力する。
入力された画像データと音声データは代行側端末装置１を介して、これに直接またはネットワーク経由で接続されたディスプレイ装置３５やスピーカー装置３６に出力される。
本実施例では、ディスプレイ装置３５やスピーカー装置３６は、代行側端末装置１とＬＡＮで接続されてイベント会場側に設けられた外部表示用端末（図示せず）に接続されているが、後述のように遠隔地端末装置１１に接続されている場合あるいは双方にある場合、その他の場所に設置されている場合などであってもよい。
遠隔地端末装置１１の場合は代行側端末装置１から送信された画像データ、音声データを受信したデータが同様に出力される。
【００１３】
また、代行者は、遠隔地端末装置１１の使用者に、遠隔地端末装置１１のカメラ装置１３およびマイク装置１４を用いて使用者側の画像や音声の撮影を依頼してもよい。
即ち、代行側端末装置１の入力手段Ｋから遠隔地端末装置１１に撮影依頼のデータを送信し、これを受信した前記使用者は、代行者の依頼に基づいて遠隔地端末装置１１に接続されたカメラ装置１３およびマイク装置１４を用いて所定の撮影を行う。
【００１４】
本実施例では、遠隔地端末装置１１としての携帯電話のＴＶ電話機能を用いて、代行者と指示者との音声による通話内容およびＴＶ電話機能による使用者側の画像データが代行側端末装置１へ送信される。
即ち、遠隔地端末装置１１に入力された画像データや音声データは、遠隔地端末装置１１から代行側端末装置１に送信される。
送信された画像データや音声データは、代行側端末装置１を介して前記と同様にディスプレイ装置３５やスピーカー装置３６に出力される。
【００１５】
また、前記代行側端末装置１に入力した画像データや音声データと、前記遠隔地端末装置１１側で入力して代行側端末装置１に送信された画像データや音声データは、いずれも代行側端末装置１にＬＡＮなどで接続された大容量の記録装置２０にも入力されて記録される。
ここで記録装置２０は代行側端末装置１に直接に接続されるものでも、あるいは、インターネットを介してサーバにある記録装置に接続されるものであってもよい。
【００１６】
このようにして記録装置２０に記録された画像データおよび音声データは、記録装置２０に接続された書込装置２１によりＤＶＤやＶＴＲ、ＳＤなどの可搬型の記録媒体２２に書き込んで、配布することが可能となる。
書込みに際して、画像データや音声データを公知の編集ソフトウエアを用いて編集してもよい。
このようにして得られた記録媒体２２は、配布されて、適宜の再生装置で再生することにより、誰でもいつでも鑑賞することができる。
【実施例２】
【００１７】
上記実施例では、代行者の撮影に対して遠隔地端末装置１１の使用者からの指示は無い場合を例示したが、指示を行う場合であってもよい。
代行撮影記録システム１０の他の使用例では、予め代行側端末装置１と遠隔地端末装置１１のモバイルデータ通信装置間でコンピュータネットワークＮ（ピアツーピアなど）を構築し双方向で通信可能にしておく。
そして、指示者が、遠隔地端末装置１１を用いて任意の指示データを図示省略のキーボードやマウスなどによる入力手段Ｋ、またはマイク装置１４による音声入力などにより入力する。
【００１８】
遠隔地端末装置１１では、この入力された指示データを、前記コンピュータネットワークＮを介して代行側端末装置１に送信する。
代行者は代行側端末装置１に表示された指示データを確認する。
確認した代行者は、代行側端末装置１を携帯して、前記指示に対応してカメラ装置３とマイク装置４を用いて撮影を代行し、画像データと音声データを入力する。
【００１９】
入力された画像データと音声データは前記ネットワークＮを経由して遠隔地端末装置１１に送信され、外部表示手段によって前記遠隔地端末装置１１に接続されたディスプレイ装置３５やスピーカー装置３６でリアルタイムに放映される。
【００２０】
そこで、指示者は、上記映像や音声を確認しながら、指示の不足な部分や新たに必要な部分の指示を遠隔地端末装置１１の前記指示入力手段Ｋ、１４により代行側端末装置１に指示データを送信し、代行者はこれに応じた新たな代行行為を遂行し、その画像データや音声データは前記のようにディスプレイ装置３５やスピーカー装置３６に表示される。
【００２１】
このようにして、例えば、遠隔地での結婚式やお祝いのイベントなどを指示者に代わって代行者が撮影する代行行為を行い、その模様を指示者は画像と音声で直接に鑑賞することができ、不足な部分などは即時に訂正指示を入力して、代行者により修正されるので、指示者は十分な満足感を得ることができる。
このようにして得られた画像データや音声データは、前述のように記録装置２０により記録され、書込装置２１で可搬型の記録媒体２２に書き込む。
【００２２】
更に、この場合も、前記実施例１のように、代行者は、指示者に、遠隔地端末装置１１のカメラ装置１３およびマイク装置１４を用いて指示者側の撮影を依頼してもよい。
このように遠隔地端末装置１１を介して入力された画像データや音声データは、遠隔地端末装置１１から代行側端末装置１に送信されるので、前記代行側端末装置１側で撮影した画像データや音声データと、前記遠隔地端末装置１１側で撮影して代行側端末装置１に送信された画像データや音声データは組み合わされて代行側端末装置１から記録装置２０に入力されて記録され、書込装置２１で可搬型の記録媒体２２に書き込んで、配布することが可能となる。
この場合、前記実施例１のように代行側端末装置１側にもディスプレイ装置３５やスピーカー装置３６が設けてあれば、代行者側でも同様に双方の撮影した画像や音声を緩衝することができる。
【実施例３】
【００２３】
上記使用例では、予め代行側端末装置１と遠隔地端末装置１１の組合せを決めた場合を示したが、それぞれが多数ある場合に、インターネットＮにサーバー用コンピュータ３１を設けて任意の代行側端末装置（説明の便宜上１Ａ、１Ｂとする）と遠隔地端末装置（同様に１１Ａ、１１Ｂとする）の組合せを決めるようにしてもよい。また、代行側端末装置１と遠隔地端末装置１１のいずれか一方が１つで、他方が複数であってもよい。
【００２４】
図３に示すサーバー用コンピュータ３１のサイトでは、遠隔地端末装置１１がアクセスするとサーバー３１が提供するメニュー画面が表示される。このメニュー画面では、代行希望時間、代行希望場所、代行の概要とが選択可能に表示されている。
【００２５】
そこで、指示者は、遠隔地端末装置（１１Ｂとする）からそれらについて希望項目をクリックして入力する。これによりサーバー用コンピュータ３１では、希望項目に代行可能な代行側端末装置１Ａまたは１Ｂ（便宜上、１Ａとする）を表示し、該当者が複数の場合はリスト表示でもよい。
指示者は、上記リストから代行を依頼する代行側端末装置１Ａを指定すると、サーバー用コンピュータ３１から代行側端末装置１Ａへ指示者のデータと共に前記代行希望データが送信される。
【００２６】
これを代行者が受諾することで、代行側端末装置１Ａからサーバー用コンピュータ３１に送信されたデータを遠隔地端末装置１１Ｂが受信しうるようになる。
代行者は代行希望データに基づいて前述のように撮影の代行行為を遂行し、その模様は画像・音声データとしてサーバー３１へ出力される。
また、代行者と指示者との音声による通信内容および遠隔地端末装置１１Ｂのカメラ１３による指示者の画像データも前記サーバー３１を介して通信される。
このように複数の代行側端末装置がある場合には、それぞれが撮影したデータがサーバー３１に送られる。
【００２７】
また、遠隔地端末装置１１Ａ、１１Ｂの複数が１つの代行側端末装置１Ｂに接続されている場合に、代行側端末装置１Ｂでは入力切替手段（図示せず）によって接続する遠隔地端末装置を切り替え、切り替えられた遠隔地端末装置１１Ａまたは１１Ｂに接続されたカメラ装置およびマイク装置から入力されて前記代行側端末装置１Ｂに配信されたデータが前記代行側端末装置１を介して前記ディスプレイ装置３５やスピーカー装置３６、そしてサーバー３１に送られる。
【００２８】
サーバー３１では、ネットワークＮに接続された端末（図示せず）に接続されたディスプレイ装置３５やスピーカー装置３６からこれらの全ての画像データや音声データを表示することができ、また、これらの画像データや音声データはサーバー３１に接続された記録装置２０に記録され、書込装置２１で可搬型の記録媒体２２に記録される。
その他、その使用法は上記実施例に限定されず、要するにこの考案の要旨を変更しない範囲で用途に応じて種々設計変更しうること勿論である。
【図面の簡単な説明】
【００２９】
【図１】実施例１の代行撮影記録システムの概要を示すブロック図である。
【図２】実施例２の代行撮影記録システムの概要を示すブロック図である。
【図３】実施例３の代行撮影記録システムの概要を示すブロック図である。
【符号の説明】
【００３０】
１    実行側端末装置
２    モバイルデータ通信装置
３    カメラ装置
４    マイク装置
５    ディスプレイ装置
６    スピーカー装置
１０    代行撮影記録システム
１１    遠隔地端末装置
１２    モバイルデータ通信装置
１４    マイク装置
１６    スピーカー装置
２０    記録装置
２１    書込装置
２２    記録媒体
３１    サーバー
３５    ディスプレイ装置
３６    スピーカー装置
【図１】
0003139531.tif 000003
【図２】
0003139531.tif 000004
【図３】
0003139531.tif 000005